(57)【要約】【課題】  簡単な方法によって止水パッキンに所定の接面圧力を付与することができる仮締切函体およびその設置方法を提供することである。【解決手段】  本発明の仮締切函体１は、水中構造物２を囲む函体３の垂直壁の下端部に、鉛直下向きの水圧を受ける受圧体７が外側に突出して形成され、該受圧体７の下面には止水パッキン８が設けられたものである。【選択図】図１
2005299222.tif 000002
【特許請求の範囲】
【請求項１】
水中構造物を囲む函体の垂直壁の下端部に、鉛直下向きの水圧を受ける受圧体が外側に突出して形成され、該受圧体の下面には止水パッキンが設けられたことを特徴とする仮締切函体。
【請求項２】
函体は、内壁と外壁とから中空に形成された二枚壁構造、内外面のいずれかに補強材を設けた一枚壁構造、またはこれら二枚壁構造と一枚壁構造とを組み合わせた組み合わせ構造のいずれかであることを特徴とする請求項１に記載の仮締切函体。
【請求項３】
請求項１または請求項２の仮締切函体を水中構造物が立設された基礎上に、この水中構造物を囲んで着座させ、受圧体に作用する鉛直下向きの水圧で止水パッキンに所定の接面圧力を付与することを特徴とする仮締切函体の設置方法。
【発明の詳細な説明】
【技術分野】
【０００１】
本発明は仮締切函体およびその設置方法に関するものである。
【背景技術】
【０００２】
河川内などの水中に構築された橋脚などの水中構造物２０の保守、点検、補修および補強などの作業は、図６に示すように、水中構造物２０を囲んだ仮締切函体２１を基礎２２上に着座させ、その内側を排水したドライな作業空間２３で行われていた。この仮締切函体２１と基礎２２との止水は、仮締切函体２１の底面に設置した止水パッキン２４で行っているが、この止水性を十分に確保するには止水パッキン２４に所定の接面圧力を付与する必要がある。そのため、図７に示すように、中空の函体２５に注水したバラスト水２６で仮締切函体２１に重量を付加する方法、および仮締切函体２１に錘や鉛直荷重２７などで重量を付加する方法が取られていた。また、その他の仮締切函体としては、例えば特許第２８２９３６２号公報の発明がある。
【特許文献１】特許第２８２９３６２号公報
【発明の開示】
【発明が解決しようとする課題】
【０００３】
しかし、上記のバラスト水を注入する仮締切函体は、函体内が満水になるまで注水作業をする必要があり、錘や鉛直荷重などで重量を付加する仮締切函体は、大がかりな設備を必要とするという問題があった。
【０００４】
本発明は上記のような問題に鑑みてなされたものであり、その目的は、簡単な方法によって止水パッキンに所定の接面圧力を付与することができる仮締切函体およびその設置方法を提供することである。
【課題を解決するための手段】
【０００５】
本発明の仮締切函体は、水中構造物を囲む函体の垂直壁の下端部に、鉛直下向きの水圧を受ける受圧体が外側に突出して形成され、該受圧体の下面には止水パッキンが設けられたことを特徴とする。また函体は、内壁と外壁とから中空に形成された二枚壁構造、内外面のいずれかに補強材を設けた一枚壁構造、またはこれら二枚壁構造と一枚壁構造とを組み合わせた組み合わせ構造のいずれかであることを含むものである。
また仮締切函体の設置方法は、請求項１または請求項２の仮締切函体を水中構造物が立設された基礎上に、この水中構造物を囲んで着座させ、受圧体に作用する鉛直下向きの水圧で止水パッキンに所定の接面圧力を付与することを特徴とする。
【発明の効果】
【０００６】
受圧体に作用する鉛直下向きの水圧により、止水パッキンに所定の接面圧力が付与されるので、止水パッキンを押し潰す鉛直荷重を得るための作業が不要となり、工程の短縮およびコストの削減が可能になる。また水深が深くなると、受圧体に作用する鉛直下向きの水圧が大きくなるため、高い止水効果が得られる。止水パッキンの設置位置を外縁側に設置する程、水圧が大きくなる。また受圧体の形状または長さを調整することにより、受圧体に作用する鉛直下向きの水圧を調整することができる。
【発明を実施するための最良の形態】
【０００７】
以下、本発明の仮締切函体およびその設置方法について説明する。はじめに仮締切函体について説明し、この後に、その設置方法について説明するが、各実施の形態において同じ構成は同じ符号を付して説明し、異なった構成は異なった符号を付して説明する。
【０００８】
図１および図２は、第１の実施の形態の仮締切函体１である。この仮締切函体１は、河川内の水中に構築された橋脚などの水中構造物２の周囲に設置して、その保守、点検、補修および補強などの作業を行うドライな作業空間を形成するものである。
【０００９】
この仮締切函体１は、水中構造物２を囲めるように平面馬蹄形の函体３、すなわち二つの函体３を合体させて環状にしたものであり、各函体３が複数の函体ユニット４を積み重ねて構成されている。この函体ユニット４はバラスト水が注水できるように、内壁５と外壁６とからなる中空の二枚壁構造になっている。
【００１０】
また函体３の下端面には、鉛直下向きの水圧を受ける受圧体７が外側に突出形成され、該受圧体７の下面外側に止水パッキン８が設けられている。このように受圧体７を外壁６から外側に水平突出させると、この受圧体７に突出幅分の水圧が作用するため、この水圧を利用して止水パッキン８に所定の接面圧力を付与することができる。したがって、図２に示すように、仮締切函体１を沈設させるバラスト水９の注水だけが必要になる。
【００１１】
また図３は、第２の実施の形態の仮締切函体１０である。この仮締切函体１０は、函体３を鋼板１１の外面に補強材１２を設けた一枚壁構造で構成したものであり、函体３の下端面に一枚板の受圧体７が水平突出され、この受圧体７の下面外側に止水パッキン８が設けられている。この実施の形態の仮締切函体１０も、上記と同様に、受圧体７に作用する水圧により止水パッキン８に所定の接面圧力が付与される。
【００１２】
また図４は、第３の実施の形態の仮締切函体１３である。この仮締切函体１３は、函体３を鋼板１１の内面に補強材１２を設けた一枚壁構造で構成したものであり、補強材１２の内側に設けた鋼板１１の下端面に受圧体７が水平突出され、この受圧体７の下面外側に止水パッキン８が設けられている。これは既存の一枚壁構造の函体３を利用したものであり、下側の鋼板１１のみを補強材１２の内側に設けることにより、函体３下部に水圧の作用する支圧空間１４を形成し、この支圧空間１４を利用して受圧体７に鉛直下向きの水圧を作用させたものである。
【００１３】
また図５は、第４の実施の形態の仮締切函体１５である。この仮締切函体１５は、函体３を二枚壁構造と一枚壁構造とを組み合わた組み合わせ構造にしたものであり、二枚壁構造の内壁５の下端面に受圧体７が水平突出され、この受圧体７の下面外側に止水パッキン８が設けられている。これは既存の二枚壁構造の函体３を利用したものであり、下側における外壁６を撤去して、内壁５のみを残すことにより、函体３下部に水圧の作用する支圧空間１４を形成し、この支圧空間１４を利用して、受圧体７に鉛直下向きの水圧を作用させる。
【００１４】
これらの第３および第４の実施の形態の仮締切函体１３、１５も、上記と同様に、受圧体７に作用する水圧により、止水パッキン８に所定の接面圧力が付与される。
【００１５】
次に、第１の実施の形態の仮締切函体１の設置方法について説明する。まず、内側にガイドスペーサー１６を設置した一対の函体３、３を、水中構造物２を挟むようにして、向かい合わせる。そして、このガイドスペーサー１６をガイドにして、これらの函体３を引き寄せて接合すると、図１に示すように、水中構造物２を囲んだ仮締切函体１が形成される。
【００１６】
次に、函体３、３内にバラスト水９を注入すると、仮締切函体１がガイドスペーサー１６をガイドにして、水中構造物２に沿って沈降する。そして、仮締切函体１がフーチング１８上に着座する。
【００１７】
次に、フーチング１８上に着座した仮締切函体１の内側の水をポンプで汲み上げて、排水すると、陸上と同じドライな作業空間１９が形成される。この際、ガイドスペーサー１６に替えて支保工を設置すると、仮締切函体１の設置がより安定する。このように仮締切函体１内を排水すると、仮締切函体１内の水頭差により、受圧体７に鉛直下向きの水圧が作用して、止水パッキン８に所定の接面圧力が付与される。
【図面の簡単な説明】
【００１８】
【図１】第１の実施の形態の仮締切函体であり、（１）は水中構造物を囲むように設置した平面図、（２）は一部を省略した正面図である。
【図２】水中構造物に設置した第１の実施の形態の仮締切函体の一部省略断面図である。
【図３】水中構造物に設置した第２の実施の形態の仮締切函体の一部省略断面図である。
【図４】水中構造物に設置した第３の実施の形態の仮締切函体の一部省略断面図である。
【図５】水中構造物に設置した第４の実施の形態の仮締切函体の一部省略断面図である。
【図６】水中構造物に設置した従来の仮締切函体の断面図である。
【図７】（１）および（２）は、従来の二枚壁構造と一枚壁構造の函体である。
【符号の説明】
【００１９】
１、１０、１３、１５、２１  仮締切函体
２、２０  水中構造物
３、２５  函体
４  函体ユニット
５  内壁
６  外壁
７  受圧体
８  止水パッキン
９  バラスト水
１１  鋼板
１２  補強材
１４  支圧空間
１６  ガイドスペーサー
１８  フーチング
１９、２３  作業空間
２２  基礎
２４  止水パッキン
２６  バラスト水
２７  鉛直荷重
【図１】
2005299222.tif 000003
【図２】
2005299222.tif 000004
【図３】
2005299222.tif 000005
【図４】
2005299222.tif 000006
【図５】
2005299222.tif 000007
【図６】
2005299222.tif 000008
【図７】
2005299222.tif 000009